(57)【要約】【課題】ＦＴＰ(File Transport Protocol)モジュールを内蔵し、該内蔵されたＦＴＰモジュールを通してのデータ送受信の試験結果をディスプレイすることにより、別途の性能点検装置なしでリアルタイムに無線データ網の性能を把握できる無線データ網の性能点検装置及びその方法を提供する。【解決手段】無線データ網の性能点検装置は、予め決定された使用者情報に基づいて試験サーバー２０に接続し、該接続された試験サーバー２０とデータ送受信を行うＦＴＰモジュール１１と、そのデータ送受信の試験結果を分析し、該分析した試験結果を出力する制御部１３と、該出力された試験結果をディスプレイ装置(図示せず)を通してディスプレイする出力部１５とを含む。【選択図】図１
2006197565.tif 000002
【特許請求の範囲】
【請求項１】
予め決定された使用者情報に基づいて試験サーバーに接続し、該接続された試験サーバーとデータ送受信を行うＦＴＰ(File Transport Protocol)モジュールと、
前記データ送受信の試験結果を分析し、該分析した試験結果を出力する制御部と、
前記出力された試験結果をディスプレイ装置を通してディスプレイする出力部と、
を含むことを特徴とする無線データ網の性能点検装置。
【請求項２】
前記予め決定された使用者情報は、前記試験サーバーのＩＰ(Internet Protocol)アドレス、前記試験サーバーに対応する使用者のＩＤ(Identifier)及びパスワード、並びに伝送されるファイルのサイズ及び伝送方法であることを特徴とする請求項１に記載の無線データ網の性能点検装置。
【請求項３】
前記ファイルの伝送方法は、ダウンロードまたはアップロードであることを特徴とする請求項２に記載の無線データ網の性能点検装置。
【請求項４】
前記ＦＴＰモジュールは、移動通信端末機に内蔵されることを特徴とする請求項１に記載の無線データ網の性能点検装置。
【請求項５】
前記移動通信端末機は、携帯電話機及びＰＤＡ(Personal Digital Assistant)の何れか１つであることを特徴とする請求項４に記載の無線データ網の性能点検装置。
【請求項６】
前記試験結果は、伝送時間、平均伝送速度、基準伝送速度、及び最高／最低伝送速度であることを特徴とする請求項１に記載の無線データ網の性能点検装置。
【請求項７】
前記ディスプレイ装置は、ＬＣＤ(Liquid Crystal Display)であることを特徴とする請求項１に記載の無線データ網の性能点検装置。
【請求項８】
移動通信端末機のＦＴＰモジュールを駆動させる段階と、
前記駆動されたＦＴＰモジュールを通して、予め決定された使用者情報に基づいて試験サーバーに接続する段階と、
前記接続された試験サーバーとデータを送受信し、該送受信されたデータに基づいて試験結果を計算する段階と、
前記計算された試験結果をディスプレイ装置を通してディスプレイする段階と、
を含むことを特徴とする無線データ網の性能点検方法。
【請求項９】
前記予め決定された使用者情報は、前記試験サーバーのＩＰアドレス、前記試験サーバーに対応する使用者のＩＤ及びパスワード、並びに伝送されるファイルのサイズ及び伝送方法であることを特徴とする請求項８に記載の無線データ網の性能点検方法。
【請求項１０】
前記ファイルの伝送方法は、ダウンロードまたはアップロードであることを特徴とする請求項９に記載の無線データ網の性能点検方法。
【請求項１１】
前記試験サーバーに接続する段階は、前記予め決定された使用者情報が使用されるとき、該予め決定された使用者情報に基づいて前記試験サーバーに接続することを特徴とする請求項８に記載の無線データ網の性能点検方法。
【請求項１２】
前記試験サーバーに接続する段階は、前記予め決定された使用者情報が使用されないとき、使用者から使用者情報の入力を受け、該入力を受けた使用者情報に基づいて前記試験サーバーに接続することを特徴とする請求項８に記載の無線データ網の性能点検方法。
【請求項１３】
前記移動通信端末機は、携帯電話機及びＰＤＡの何れか１つであることを特徴とする請求項８に記載の無線データ網の性能点検方法。
【請求項１４】
前記試験結果は、伝送時間、平均伝送速度、基準伝送速度、及び最高／最低伝送速度であることを特徴とする請求項８に記載の無線データ網の性能点検方法。
【請求項１５】
前記ディスプレイ装置は、ＬＣＤであることを特徴とする請求項８に記載の無線データ網の性能点検方法。
【発明の詳細な説明】
【技術分野】
【０００１】
本発明は、無線データ網に関し、特に、別途の性能点検装置なしでリアルタイムに無線データ網の性能を把握できる無線データ網の性能を点検する装置及びその方法に関する。
【背景技術】
【０００２】
一般に、移動通信端末機は、携帯電話機や携帯用個人情報端末機(Personal Digital Assistant；ＰＤＡ)などのように移動性を有するものを総称し、手に持って携帯するので軽くて小さいことが特徴である。しかしながら、このような移動通信端末機は、入力装置及びディスプレイ装置としての機能が劣り、拡張性が足りないだけでなく、電力供給が円滑でないという弱点がある。
【０００３】
最近、このような移動通信端末機をインターネットに接続して、入出金などの銀行業務を行うモバイルバンキング、オンラインゲームをするモバイルゲーム、映画をリアルタイムに見るモバイル映画など、多様なサービスが提供されており、携帯電話機、ＰＤＡ及びノートブックコンピュータなどの長所を適用した多様な製品が開発されている。このような移動通信端末機は、ウェブブラウザなどのような様々なアプリケーションを実現するための多様なプロトコル(例えば、ＰＰＰ(Point-to-Point Protocol)、ＩＰ(Internet Protocol)、ＴＣＰ(Transmission Control Protocol)など)を適用している。ここで、プロトコルとは、ネットワークソフトウェアの核心として、２つ以上の通信個体間に交換されるメッセージの形態、意味及び伝送順序、並びにメッセージ送受信及びその他のイベントを実行する処理を定義した規約をいう。
【０００４】
移動通信端末機は、通信ポートを介してＰＣ(Personal Computer)に連結されてデータを送信または受信するが、通常、通信ポートとしては、ＵＡＲＴ(Universal Asynchronous Receiver Transmitter)を使用する。ここで、ＵＡＲＴは、非同期直列通信を処理するための装置であって、直列ビットデータを所定単位の並列ビットデータに変換するか、または所定単位の並列ビットデータを直列ビットデータに変換する。
【０００５】
従って、使用者は、移動通信端末機のＵＡＲＴポートとＰＣの通信ポートとをＲＳ−２３２Ｅケーブルを介して連結して、多様なツールを利用するＰＣを通して、無線インターネットをするためのウェブブラウザなどのアプリケーションの性能(例えば、伝送速度など)を点検することができるが、必ずＰＣのような別途の性能点検装置を必要とする。
【発明の開示】
【発明が解決しようとする課題】
【０００６】
以上説明したように、従来の無線データ網の性能点検方法においては、移動通信端末機のＵＡＲＴポートとＰＣの通信ポートとをＲＳ−２３２Ｅケーブルを介して連結して、多様なツールを利用するＰＣを通して無線データ網の性能を点検するため、別途の性能点検装置なしではリアルタイムに無線データ網の性能を把握できないという問題点があった。
【０００７】
本発明は、このような従来技術の問題点を解決するためになされたもので、ＦＴＰ(File Transport Protocol)モジュールを内蔵し、該内蔵されたＦＴＰモジュールを通しての性能試験結果をディスプレイすることにより、別途の性能点検装置なしでリアルタイムに無線データ網の性能を把握できる無線データ網の性能点検装置及びその方法を提供することを目的とする。
【課題を解決するための手段】
【０００８】
このような目的を達成するために、本発明による無線データ網の性能点検装置は、予め決定された使用者情報に基づいて試験サーバーに接続し、該接続された試験サーバーとデータ送受信を行うＦＴＰモジュールと、そのデータ送受信の試験結果を分析し、該分析した試験結果を出力する制御部と、該出力された試験結果をディスプレイ装置を通してディスプレイする出力部とを含むことを特徴とする。
【０００９】
また、本発明による無線データ網の性能点検方法は、移動通信端末機のＦＴＰモジュールを駆動させる段階と、その駆動されたＦＴＰモジュールを通して、予め決定された使用者情報に基づいて試験サーバーに接続する段階と、該接続された試験サーバーとデータを送受信し、この送受信されたデータに基づいて試験結果を計算する段階と、該計算された試験結果をディスプレイ装置を通してディスプレイする段階とを含むことを特徴とする。
【発明の効果】
【００１０】
本発明による無線データ網の性能点検装置及びその方法においては、ＦＴＰモジュールを内蔵し、当該内蔵されたＦＴＰモジュールを通してのデータ送受信の試験結果をディスプレイすることにより、別途の性能点検装置なしでリアルタイムに無線データ網の性能を把握できるという効果がある。
【発明を実施するための最良の形態】
【００１１】
以下、ＦＴＰモジュールを内蔵し、該内蔵されたＦＴＰモジュールを通してのデータ送受信の試験結果をディスプレイすることにより、別途の性能点検装置なしでリアルタイムに無線データ網の性能を把握できるようにした、本発明による無線データ網の性能点検装置及びその方法の好ましい実施形態を、添付の図面を参照して説明する。
【００１２】
本発明による無線データ網の性能点検装置及びその方法は、ＦＴＰモジュールだけでなく、データを送受信できる多様なアプリケーションプログラムが適用された移動通信端末機にも適用することができる。
【００１３】
図１は、本発明による無線データ網の性能点検装置を示すブロック図である。
【００１４】
図１に示すように、本発明による無線データ網の性能点検装置は、予め決定された使用者情報に基づいて試験サーバー２０に接続し、その接続された試験サーバー２０とデータ送受信を行うＦＴＰモジュール１１と、これによるデータ送受信の試験結果を分析し、該分析した試験結果を出力する制御部１３と、その出力された試験結果をディスプレイ装置(図示せず)を通してディスプレイする出力部１５とを含む。
【００１５】
本実施形態における予め決定された使用者情報は、試験サーバー２０のＩＰ(Internet Protocol)アドレス、試験サーバー２０に対応する使用者のＩＤ(Identifier)及びパスワード、並びに、伝送されるファイルのサイズ及び伝送方法(例えば、ダウンロードまたはアップロード)をいい、メモリ１７に保存される。
【００１６】
ＦＴＰモジュール１１、制御部１３及び出力部１５を含んで構成された移動通信端末機１０は、試験サーバー２０と無線データ網を通してデータを送受信することにより、当該送受信されたデータに基づいて無線データ網の性能を点検することができる。以下、このように構成された本発明による無線データ網の性能点検装置の動作について、図２を参照して説明する。
【００１７】
図２は、本発明による無線データ網の性能点検方法を示すフローチャートである。
【００１８】
図２に示すように、本発明による無線データ網の性能点検方法は、移動通信端末機に内蔵されたＦＴＰモジュールを駆動させる段階(ステップＳ２１)と、駆動されたＦＴＰモジュールを通して、予め決定された使用者情報に基づいて試験サーバーに接続する段階(ステップＳ２３)と、これにより接続された試験サーバーとデータを送受信し、当該送受信されたデータに基づいて試験結果を計算する段階(ステップＳ２５)と、その計算された試験結果をディスプレイ装置を通してディスプレイする段階(ステップＳ２７)とを含む。
【００１９】
また、試験サーバーに接続する段階(ステップＳ２３)は、予め決定された使用者情報を使用するか否かを確認する段階(ステップＳ２３１)と、予め決定された使用者情報を使用するとき、該予め決定された使用者情報に基づいて試験サーバーに接続する段階(ステップＳ２３５)と、予め決定された使用者情報を使用しないとき、使用者から使用者情報の入力を受け(ステップＳ２３３)、この入力を受けた使用者情報に基づいて該当試験サーバーに接続する段階(ステップＳ２３５)とを含む。
【００２０】
以下、このような本発明による無線データ網の性能点検方法をより詳しく説明する。
【００２１】
まず、移動通信端末機１０は、移動通信端末機１０の開発者らにより使用される当該移動通信端末機１０に関連する各種パラメータ値を表示する予め決定された画面(以下、エンジニア画面という)を有しており、開発者らは予め決定された暗号値により移動通信端末機１０にエンジニア画面をディスプレイさせることができる。
【００２２】
使用者により、移動通信端末機１０のエンジニア画面上にディスプレイされたＦＴＰモジュール１１を駆動させるためのメニューが選択されると(ステップＳ２１)、移動通信端末機１０は、駆動されたＦＴＰモジュール１１を通して、予め決定された使用者情報に基づいて試験サーバー２０に接続する(ステップＳ２３)。即ち、移動通信端末機１０は、予め決定された使用者情報を使用するか否かを使用者に確認する(ステップＳ２３１)。
【００２３】
ここで、このような使用者情報を確認するエンジニア画面について図３を参照して説明する。図３は、本発明による使用者情報を確認するエンジニア画面を示す図である。
【００２４】
図３に示すように、本発明による移動通信端末機１０のエンジニア画面上には、予め決定された使用者情報、即ち、試験サーバー２０のＩＰアドレス(１９３．１６８．１．１６２)、試験サーバー２０に対応する使用者のＩＤ(ｇｄｈｏｎｇ)及びパスワード(１２３４)、伝送されるファイルのサイズ(３０ＭＢ)及び伝送方法(ダウンロード)がディスプレイされるだけでなく、編集機能を通してこれら予め決定された使用者情報を変更することができる。
【００２５】
移動通信端末機１０は、使用者が上記のような予め決定された使用者情報を使用する場合には、その予め決定された使用者情報に基づいて試験サーバー２０に接続し(ステップＳ２３５)、使用者が予め決定された使用者情報を使用しない場合には、使用者から使用者情報の入力を受け(ステップＳ２３３)、該入力を受けた使用者情報に基づいて該当試験サーバー２０に接続する(ステップＳ２３５)。
【００２６】
移動通信端末機１０は、接続された試験サーバー２０を通してデータを送受信し、その送受信されたデータに基づいて試験結果(例えば、伝送時間、平均伝送速度、基準伝送速度、及び最高／最低伝送速度など)を計算し(ステップＳ２５)、この計算された試験結果を移動通信端末機１０のエンジニア画面上にディスプレイする(ステップＳ２７)。ここで、ディスプレイ装置は、ＬＣＤ(Liquid Crystal Display)であることが好ましい。
【００２７】
以下、このようにディスプレイされる試験結果を図４(Ａ)及び図４(Ｂ)を参照して説明する。図４(Ａ)及び図４(Ｂ)は、本発明による試験結果をディスプレイするエンジニア画面を示す図である。
【００２８】
図４(Ａ)及び図４(Ｂ)に示すように、本発明による移動通信端末機１０のエンジニア画面上に、ＦＴＰモジュール１１を通して送受信されたデータに基づいて計算された試験結果がディスプレイされる。即ち、正常にデータを送受信した場合は、伝送時間(５分)、平均伝送速度(１００Ｋｂｐｓ)、基準伝送速度(１００Ｋｂｐｓ)及び最高／最低伝送速度(１０００Ｋｂｐｓ／１０Ｋｂｐｓ)がディスプレイされ、一方、データ送受信が失敗した場合は、試験失敗メッセージ及び試験失敗原因１０１がディスプレイされる。
【００２９】
よって、使用者は、そのディスプレイされた試験結果を解析することにより、無線データ網の性能をリアルタイムに把握することができる。即ち、使用者は、分析結果によって、移動通信端末機１０内に問題があるのか、移動通信端末機１０が属している網に問題があるのかなどを容易に把握することができ、これにより適切な対処をすることができる。従って、本発明による無線データ網の性能点検装置及びその方法は、ウェブブラウザなどの多様なアプリケーションに対する性能点検を、移動通信端末機で別途の性能点検装置を使用せずに容易に行うために、ＦＴＰモジュールを内蔵し、該内蔵されたＦＴＰモジュールを通してのデータ送受信の試験結果をディスプレイすることにより実現される。
【図面の簡単な説明】
【００３０】
【図１】本発明による無線データ網の性能点検装置を示すブロック図である。
【図２】本発明による無線データ網の性能点検方法を示すフローチャートである。
【図３】本発明による使用者情報を確認するエンジニア画面を示す図である。
【図４】(Ａ)及び(Ｂ)は、本発明による試験結果をディスプレイするエンジニア画面を示す図である。
【符号の説明】
【００３１】
１０  移動通信端末機
２０  試験サーバー
１１  ＦＴＰモジュール
１３  制御部
１５  出力部
【図１】
2006197565.tif 000003
【図２】
2006197565.tif 000004
【図３】
2006197565.tif 000005
【図４】
2006197565.tif 000006